(57)【要約】【課題】フィードチェーンの前端部及び後端部にそれぞれ設けられるロック装置を連動させることによって、前端部側のロック装置の解除に伴い同時に後端部側のロック装置も解除ができる構造とし、容易にフィードチェーンの開放が行え、メンテナンス時等の作業効率の向上を図る。【解決手段】脱穀装置１２の側方に、脱穀用穀桿を搬送するフィードチェーン９を該脱穀装置１２側方に開放可能に設け、該フィードチェーン９の前端部及び後端部にそれぞれロック装置を設けたコンバインの脱穀装置１２であって、前記フィードチェーンの前部ロック装置４０と後部ロック装置５０とを連結ロッド４５にて連結し、前部ロック装置４０の解除に連動して後部ロック装置５０が解除される構造とした。【選択図】        図３
2004166625.tif 000002
【特許請求の範囲】
【請求項１】
脱穀装置の側方に、脱穀用穀桿を搬送するフィードチェーンを該脱穀装置側方に開放可能に設け、該フィードチェーンの前端部及び後端部にそれぞれロック装置を設けたコンバインの脱穀装置であって、前記フィードチェーンの前端部に設けられたロック装置と後端部に設けられたロック装置とを連結部材にて連結し、一方のロック装置の解除に連動して他方のロック装置が解除される構造としたことを特徴とするフィードチェーンの開閉構造。
【請求項２】
前記後端部に設けられたロック装置を前記フィードチェーンの上後部近傍に配置したことを特徴とする請求項１記載のフィードチェーンの開閉構造。
【発明の詳細な説明】
【０００１】
【発明の属する技術分野】
本発明は、コンバインの前部に配置した刈取装置で刈り取った穀桿を受け継いで、脱穀装置に搬送するフィードチェーンを側方に開閉回動するための構造に関する。
【０００２】
【従来の技術】
従来のコンバインの構成として、扱室の外側の側方に穀桿搬送装置を配し、刈取装置によって刈り取られた穀桿を受け継ぎ、穀桿の穂先側を脱穀装置の扱胴の上方若しくは下方を通過させて脱穀させるものがある。
前記穀桿搬送装置は、一般的に、フィードチェーンと、該フィードチェーンが巻回される複数のスプロケットと、フィードチェーンの上方に対向して備える挟扼杆等から構成されている。
そして、前記フィードチェーンを巻回する複数のスプロケットを、機体外側方に向けて回動可能なフレームに取り付け、前記フィードチェーンの前端部にフレームの回動支点を、後端部にフレームの固定手段であるロック装置をそれぞれ配置し、該フレームの開閉を行うことによって、前記フィードチェーンを巻回したまま扱室を現出させることを可能にし、扱室内のメンテナンス性の向上を図ったものがある（例えば、特許文献１参照）。
さらに、フィードチェーンを支持するフレームの後部を機体に支持し、前部にロック装置を配置して、前記フィードチェーンが巻回されたフレームを側方へ開閉することを可能とした技術も公知となっている（例えば、特許文献２参照）。
【０００３】
【特許文献１】
特開平１１−１５１０３１号公報
【特許文献２】
特開平７−８０９１号公報
【０００４】
【発明が解決しようとする課題】
しかし、前記フィードチェーンの前端部または後端部に設けられた従来のロック装置は、それぞれが独立してロックまたは解除する構造となっており、前記フレームを開放させて扱室や扱胴のメンテナンスやクリンプ網の交換等を行う。このように、前記前端部または後端部にロック装置を設けていたので、作業時における強度が不足する場合があり、振動や騒音の発生原因となっていた。また、強度を増すために前後それぞれにロック装置を配置することも考えられるが、メンテナンス時には各々解除する必要があり、作業に手間がかかるという不具合があった。
そこで本発明では、上記不具合を解決すべく、フィードチェーンの前端部及び後端部にそれぞれロック装置を設けて連動させることによって、前端部側のロック装置の解除に伴い同時に後端部側のロック装置も解除ができる構造とし、容易にフィードチェーンの開放が行え、メンテナンス時等の作業効率の向上を図る。
さらに、前後のロック装置の係合位置を工夫することによって、よりしっかりとフィードチェーンが固定でき、脱穀装置の強度の向上も図る。
【０００５】
【課題を解決するための手段】
本発明の解決しようとする課題は以上の如くであり、次にこの課題を解決するための手段を説明する。
【０００６】
即ち、請求項１においては、脱穀装置の側方に、脱穀用穀桿を搬送するフィードチェーンを該脱穀装置側方に開放可能に設け、該フィードチェーンの前端部及び後端部にそれぞれロック装置を設けたコンバインの脱穀装置であって、前記フィードチェーンの前端部に設けられたロック装置と後端部に設けられたロック装置とを連結部材にて連結し、一方のロック装置の解除に連動して他方のロック装置が解除される構造としたものである。
【０００７】
請求項２においては、前記後端部に設けられたロック装置を前記フィードチェーンの上後部近傍に配置したものである。
【０００８】
【発明の実施の形態】
次に、発明の実施の形態を説明する。
図１は本発明を適用したコンバインの全体側面図、図２は同じく平面図、図３はフィードチェーンの構成を示す側面図、図４は本発明のロック装置を示す平面図、図５は同じく正面図、図６は前部ロック装置を示す側面図、図７は同じく平面図、図８は後部ロック装置を示す側面図、図９は同じく平面図である。
【０００９】
まず、本発明に係わるコンバインの全体構成について、図１及び図２により説明する。
クローラ式走行装置１上には機体フレーム２が載置され、該機体フレーム２前端には引起し・刈取部３が昇降可能に配設されている。該引起し・刈取部３は前端に分草板４を突出して穀稈を分草し、その後部に引起しケース５を立設して該引起しケース５より突出したタイン６の回転により穀稈を引き起こし、前記分草板４後部に配設した刈刃７にて株元を刈り取るようにしている。
【００１０】
刈り取られた穀稈は、上部搬送装置、下部搬送装置、縦搬送装置８にて後部へ搬送され、該縦搬送装置８の上端から株元がフィードチェーン９に受け継がれ、扱胴２１や処理胴２２を備える脱穀装置１２内に穀稈が搬送される。そして、該フィードチェーン９後端には排藁搬送チェーン１１などを備えた排藁搬送装置１６が配設され、該排藁搬送装置１６の後部下方には排藁カッター装置、拡散コンベアなどからなる排藁処理装置１７が設けられ、排藁を切断して藁片にした後、拡散しながら圃場に均一放出するようにしている。
【００１１】
また、前記脱穀装置１２側部には選別後の精粒を貯留するグレンタンク１３が配設され、該グレンタンク１３前部には運転室１４が配設される一方、グレンタンク１３後部には排出オーガ１５の縦オーガ１５ａが立設され、該縦オーガ１５ａを中心にしてグレンタンク１３が側方へ回動可能とし、本機内部側に配置した駆動系や油圧系のメンテナンスを容易にしている。
そして、該グレンタンク１３の底部には排出コンベア１９が前後方向に配設され、該排出コンベア１９から前記排出オーガ１５に動力が伝達されて、排出オーガ１５先端よりトラック等へグレンタンク１３内の穀粒を排出できるようにしている。更に、脱穀装置１２下方には、選別部が配設され、脱穀装置１２から流下する穀粒や藁屑等から穀粒を選別し、精粒を前記グレンタンク１３に搬送するようにしている。
【００１２】
また、前記脱穀装置１２は、前記機体フレーム２に前後方向に軸芯を有して横架された前記扱胴２１と処理胴２２とから構成され、該脱穀装置１２の下方に揺動選別装置を配設している。なお、該扱胴２１及び処理胴２２の上方は脱穀カバー１８によって被装され、該脱穀カバー１８のグレンタンク１３側端部が機枠に枢支され、脱穀カバー１８の外側を上方に回動させて扱胴２１内部のメンテナンス作業を行うようにしている。
【００１３】
さらに、前記揺動選別装置、一番コンベア及び二番コンベア等を駆動するための、プーリーやベルト等よりなる動力伝達部が前記フィードチェーン９下方の機体フレーム２の側部に配設されており、該動力伝達部は側部カバー２０によって被装されている。
そして、前記扱胴２１の左側方に前記フィードチェーン９が配置され、該フィードチェーン９の前部を引起し・刈取部３の後部側方に配置し、前記排藁搬送装置１６の前部側方に延出することによって穀桿を縦搬送装置から受け継ぐようにしている。
【００１４】
次に、前記フィードチェーン９及びこれを支持するフレーム３０の構成について説明する。
図３及び図４に示すように、フィードチェーン９は、フレーム３０に備える複数のスプロケットに巻回され、該フィードチェーン９の上方には挟扼杆が配置され、該挟扼杆は脱穀カバー１８の進行方向左側端にバネ等により下方へ付勢して配置され、該挟扼杆とフィードチェーン９との間に穀稈を挟持して搬送する構成としている。該フィードチェーン９の前端部（機体前方）及び後端部（機体後方）にはそれぞれ前部ロック装置４０及び後部ロック装置５０が設けられており、該前部ロック装置４０及び後部ロック装置５０が機体側の係合部４４及び５４とそれぞれ係合して該フレーム３０を固定する構造となっている。
【００１５】
前記フレーム３０は、機体前後方向に水平な横フレーム３０ａと、該横フレーム３０ａの前端で交わり後方に向かって上り勾配を形成する斜フレーム３０ｂと、横フレーム３０ａの後端部に固設された側面視略コ字状にパイプを折り曲げて構成した回動支点フレーム３０ｃ及び補強フレーム３０ｄとによって側面視略直角三角形状に構成している。なお、側面視において該回動支点フレーム３０ｃで囲まれた空間に、排塵ファンを駆動するためのプーリー４９が配置されている。
【００１６】
前記回動支点フレーム３０ｃは、機体側に固設された後面視略逆コ字状にパイプを折り曲げて構成した支持フレーム２３に設けられた上下二箇所の支持部２４・２４によって支持され、前記フレーム３０が機体に対して側方外側に回動可能な構成となっている。
図８に示すように、前記支持部２４・２４は、前記回動支点フレーム３０ｃに固設された側面視略Ｌ字状のステー２４ａ・２４ａと前記支持フレーム２３に一体的に固設して形成された支持ステー２４ｂ・２４ｂと、該支持ステー２４ｂ・２４ｂに上方に突設された枢支ピン２４ｃ・２４ｃから構成して、該枢支ピン２４ｃ・２４ｃにステー２４ａ・２４ａを挿入することによって前記フレーム３０を着脱可能に支持し、該フレーム３０を該支持フレーム２３に対して回動可能としている。
そして、前記機体フレーム２の上方に設けられている脱穀フレーム６０において（図４）、前記扱胴２１の前後で左右方向に横架する横フレーム６０ａ・６０ｂのフィードチェーン９側が機体側方に突出され、この突出部分が、前記フレーム３０を機体側に回動させて閉じる際にガイドとなるようにしている。つまり、前記横フレーム３０ａの前後途中部にそれぞれ側面視略門状のガイド６２ａ・６２ｂが固設され（図３）、該ガイド６２ａ・６２ｂは図５に示すように、右端上部を斜め上方に突出しており、前記フレーム３０を機体側に回動させたときに、横フレーム６０ａ・６０ｂの端部上に乗り上げて、摺動しながら挿入され、確実に位置合わせができて閉じられるようにしている。
また、該フレーム３０において、脱穀装置１２側には隔壁２５を設け、該脱穀装置１２内の空間とフィードチェーン９が備えられる空間とを隔離している。
【００１７】
前記斜フレーム３０ｂの前端及び上後端には従動スプロケット２６ａ・２６ｂが回転自在に備えられ、該従動スプロケット２６ｂは、前記斜フレーム３０ｂにボルト等で固設されたガード６１により側方が覆われている。
また、前記横フレーム３０ａの前より中途部から下方に向けてステー３２を垂設し、該ステー３２に支持アーム３３がボルト等によって固定されて下方へ延設され、該支持アーム３３の下端に軸受等を介してパイプ状の回転軸３４が軸支され、該回転軸３４上に駆動スプロケット２６ｄが固定されている。該回転軸３４の軸心部には、機体側から突出した駆動軸がフレーム３０を閉じる側に回動した時に挿入され、該駆動軸と回転軸３４はスプライン嵌合またはキーにより相対回転不能に嵌合されて、動力を伝達できるようにしている。また、前記支持アーム３３の前下部に回動アーム２７の一端が枢支され、該回動アーム２７の他端にテンションスプロケット２６ｃが回転自在に枢支され、該テンションスプロケット２６ｃは駆動スプロケット２６ｄと従動スプロケット２６ａの間に位置するように配設される。該テンションスプロケット２６ｃの回転軸にはスプリング２８の一端が係止され、該スプリング２８の他端はアジャスタ３１の一端に係止されている。該アジャスタ３１の他端は前記横フレーム３０ａの中途部に立設されたステー２９に長さ調節可能に取り付けられている。
【００１８】
以上の如く、従動スプロケット２６ａ・２６ｂ、テンションスプロケット２６ｃ、及び駆動スプロケット２６ｄにフィードチェーン９を巻回し、該駆動スプロケット２６ｄの回転により該フィードチェーン９が回転される構成となっている。そして、各スプロケット２６ａ・２６ｂ・２６ｃ・２６ｄと、フィードチェーン９とをフレーム３０に支持する構成とし、該フレーム３０を機体本体側の支持フレーム２３に対して回動することによって該フィードチェーン９が一体となって回動開閉されるようになっている。
【００１９】
続いて、本発明の要部である前記前部ロック装置４０及び後部ロック装置５０について図３乃至図９を用いて説明する。
該前部ロック装置４０と後部ロック装置５０とは、連結部材である連結ロッド４５によって連結され、前部ロック装置４０のロック及び解除に連動して後部ロック装置５０もロック及び解除される構造となっている。
まず、前部ロック装置４０について図３乃至図７を用いて説明する。
該前部ロック装置４０は、前記横フレーム３０ａ前部に立設固定された回動支点軸４１と、該回動支点軸４１に回動可能に支承されたレバー４２と前記機体フレーム２にピン等を立設して構成した係合部４４とからなり、該レバー４２の中途部が回動支点軸４１に回動自在に枢支され、左側の外側を握り部とし、右側の機体内側の前部に凹部を形成してフック部４２ａとし、該フック部４２ａが前記係合部４４と係合することによってロックされるように構成されている。
前記回動支点軸４１のレバー４２上方にはカラー３５が挿嵌され、該カラー３５は、同じく回動支点軸４１に挿通固定されたストッパー３６によって固定されている。つまり、該カラー３５によって前記レバー４２の上下位置が固定されることによって、該レバー４２はスムーズに水平回動ができるように支承されている。
【００２０】
また、前記レバー４２の中途部（回動支点軸４１よりも外側）に孔部４２ｂを形成してスプリング３９の一端が掛合され、該スプリング３９の他端はアジャスタ３８の前端に係止され、該アジャスタ３８の他端が機体後方に向けて延出されて、前記横フレーム３０ａの前部より側方に突設したステー３７に位置調整可能に取り付けられている。
このように、前記レバー４２は、前記スプリング３９によって該レバー４２の孔部４２ｂから後方に引っ張られ、該孔部４２ｂと前記回動支点軸４１を挟んで反対側にあるフック部４２ａが前方の前記係合部４４と係合しようとする方向、即ち前部ロック装置４０がロックされる方向に付勢されている。
そして、前記レバー４２のフック部４２ａと前記回動支点軸４１との中間部にはピン４３が突設され、該ピン４３に前記連結ロッド４５の前端が枢支され、該連結ロッド４５は横フレーム３０ａと略平行に後方へ延設されて、その後端がアームや軸等を介して後部ロック機構５０と連動連結され、レバー４２を前記回動支点軸４１を中心にロック解除方向に回動することによって、該連結ロッド４５を介して後述する後部ロック装置５０のロックも解除する構造になっている。
【００２１】
次に、後部ロック装置５０について図３乃至図５、図８及び図９を用いて説明する。
該後部ロック装置５０は、後述する回動支点軸５１と該回動支点軸５１に挿通固定されたフック５２と機体側のフレームの一端に固設された係合部５４とからなり、該係合部５４に前記フック５２が係合することによってロックするように構成されている。
前記係合部５４の基端を機体側のフレーム（側板）にボルト６８・６８によって固定し、この固定部は前記排藁搬送装置１６の排藁フレーム６７の下方に配置して支持する支持フレーム６６とともにプレート６３・６４を介して機体側に固定され、さらに該プレート６４は補強プレート６５により補強されて、前記後部ロック装置５０の係合部５４の剛性を高めている。
【００２２】
前記回動支点軸５１はパイプ状に構成され、前記横フレーム３０ａ後部上に固設された支持プレート５５と、前記補強フレーム３０ｄの上水平部に固設した支持部５７の下面に固設された支持プレート５６との間に立設した支持軸に回動可能に外嵌している。そして、該回動支点軸５１の上端にフック５２を固設して機体内側方向に延設して、前記係合部５４に係合できるように前面側に係合凹部を形成している。
前記回動支点軸５１の下端には回動プレート５８が固設され、該回動プレート５８の先端はピン５３を介して前記連結ロッド４５の後端と回動自在に連結されている。つまり該連結ロッド４５は、前端をレバー４２に、後端を該回動プレート５８と連結することによって機体前後方向に亘って架設され、前部ロック装置４０と後部ロック装置５０とを連結連動するための部材となっている。
【００２３】
前記前部ロック装置４０及び後部ロック装置５０それぞれの係合部は、前部ロック装置４０はフィードチェーン９の前下部、後部ロック装置５０においてはフィードチェーン９の後上部に位置している。つまり、図３において見ると、機体側面において、前部ロック装置４０の係合位置は左下、後部ロック装置５０の係合位置は右上となっており、前記フレーム３０において略対角線上に配置され、前部ロック装置４０は従動スプロケット２６ａの後部位置、後部ロック装置５０は従動スプロケット２６ｂの近傍位置に配置されている。即ち、フィードチェーン９により穀稈を挟持して搬送する搬送経路の前部と後部に前部ロック装置４０と後部ロック装置５０を配置して、搬送時における搬送装置の振れやガタを防止する構成として、両ロック装置４０・５０が同時にロック及びロック解除できる構成としている。
【００２４】
この連動機構について、該前部ロック装置４０及び後部ロック装置５０のロックを解除する場合を例に詳しく説明する。
まず、前部ロック装置４０のレバー４２を回動支点軸４１を中心に、前記スプリング３９に抗してロックを解除する方向、即ち該レバー４２のフック部４２ａと機体側の前記係合部４４との係合が解除される前方向に回動する。すると、該レバー４２に前端が連結されている前記連結ロッド４５が後方に回動する。該連結ロッド４５が後方に動くと、後部ロック装置５０において、該連結ロッド４５の後端に支承されている回動プレート５８が前記回動支点軸５１を中心として回動する。該回動プレート５８は回動支点軸５１の下部において固定されているので、該回動プレート５８の回動に伴って回動支点軸５１も回動する。そうすると、回動支点軸５１の上部に固定されている前記フック５２も該回動支点軸５１を中心に回動し、該フック５２と機体側の前記係合部５４との係合が解除され後部ロック装置５０も解錠される。
【００２５】
このような構造にすることによって、前記レバー４２の回動操作のみによって前部ロック装置４０及び後部ロック装置５０を同時にロック及び解除することができ、容易にフィードチェーン９をフレーム３０とともに開放することが可能となる。よって、扱室及び扱胴２１のメンテナンスやクリンプ網の交換等を行う際の脱穀装置１２の側方を開放する手間が簡略化でき作業性の向上が図れる。
【００２６】
さらに、本実施例においては、前部ロック装置４０は前記フレーム３０の前下部、後部ロック装置５０の係合位置は該フレーム３０の後上部にそれぞれ設けられ、前部ロック装置４０と後部ロック装置５０とをそれぞれ係合位置の高さが異なるように配置しているので、そのロック位置のバランスがよく、前部及び後部をロックしたときに、フレーム３０の一端に負荷がかかっても歪むようなことがなく、しっかりとフレーム３０を機体本体に固定することができる。よって、脱穀作業によって該フレーム３０が撓むというような不具合も解消でき、脱穀の強度を上げることが可能となる。
【００２７】
【発明の効果】
本発明は、以上のように構成したので、以下に示すような効果を奏する。
【００２８】
即ち、請求項１に示す如く、脱穀装置の側方に、脱穀用穀桿を搬送するフィードチェーンを該脱穀装置側方に開放可能に設け、該フィードチェーンの前端部及び後端部にそれぞれロック装置を設けたコンバインの脱穀装置であって、前記フィードチェーンの前端部に設けられたロック装置と後端部に設けられたロック装置とを連結部材にて連結し、一方のロック装置の解除に連動して他方のロック装置が解除される構造としたので、フィードチェーンの前端部に設けられたロック装置のロック及び解除操作に伴って後端部に設けられたロック装置も同時にロック及び解除することができ、容易にフィードチェーンをフレームとともに開放することが可能となる。よって、扱室及び扱胴のメンテナンスやクリンプ網の交換等を行う際の脱穀装置の側方を開放する手間が簡略化でき作業性の向上が図れる。
【００２９】
請求項２に示す如く、前記後端部に設けられたロック装置を前記フィードチェーンの上後部近傍に配置したので、前部ロック装置と後部ロック装置とがそれぞれの係合位置を異なる高さに有し、そのロック位置のバランスがよく、前部及び後部をロックしたときに、フィードチェーンのフレームの一端に負荷がかかっても歪むようなことがなく、しっかりと該フレームを機体本体に固定することができる。よって、脱穀作業によって該フレームが撓むというような不具合も解消でき、脱穀の強度を上げることが可能となる。
【図面の簡単な説明】
【図１】本発明を適用したコンバインの全体側面図。
【図２】同じく平面図。
【図３】フィードチェーンの構成を示す側面図。
【図４】本発明のロック装置を示す平面図。
【図５】
同じく正面図。
【図６】前部ロック装置を示す側面図。
【図７】同じく平面図。
【図８】後部ロック装置を示す側面図。
【図９】同じく平面図。
【符号の説明】
９  フィードチェーン
１２  脱穀装置
４０  前部ロック装置
４５  連結ロッド
５０  後部ロック装置
【図１】
2004166625.tif 000003
【図２】
2004166625.tif 000004
【図３】
2004166625.tif 000005
【図４】
2004166625.tif 000006
【図５】
2004166625.tif 000007
【図６】
2004166625.tif 000008
【図７】
2004166625.tif 000009
【図８】
2004166625.tif 000010
【図９】
2004166625.tif 000011